(57)【要約】      （修正有）【課題】運搬台車などの車輪付き手押し移動用具（手押し車）に用いられているキャスターの旋回を抑制することにより、ふらつきを押さえ直進性を高めるキャスターである。【解決手段】キャスター１０１の抑制リング１に一体に成型された凹１ａに、車輪用フレーム４の上部面４ｂに、底面を一体に有し略角パイプ状に成形した外枠８を適宜位置に固定し、外枠８に、金属、硬質樹脂等の硬質材で略シリンダー状に成型した中枠１０を摺動可能に設置し、その中枠１０の凹１０ｂと外枠８の８ｂの間に押しバネ９を挟み設置し、かつ中枠１０の反対側には抑制ローラー１１を中枠１０の凹１０ａ部に設置しピン１２を挿入し回転可能に設置した抑制ローラー１１は押しバネ９で押され抑制リング１ｂの円周上の凹１ａ部に挟み込まれるように構成している。【選択図】図１
2004224324.tif 000002
【特許請求の範囲】
【請求項１】
下側に支持軸を一体的に備えたリング状の台座と、支持軸周りに旋回可能に支持された車輪用フレームと後部で回転自由に支持された車輪から成るキャスターの前記リング状の台座外周部を逆Ｌ字下方向に伸びたリング状（以下「抑制リング」と略す）の外周部に凹部を一体的に設けた前記凹部に、一体的に成型された前記車輪用フレーム上部面に、底面を一体に有し略角パイプ状に成形した外枠を適宜位置に固定し、前記外枠の内側に金属性、硬質樹脂等の硬質材で略シリンダー状に成型した中枠を摺動可能に設置しその前記中枠の間に押しバネを挟み設置、前記中枠の反対側には、円錐状の回転手段（以下「抑制ローラー」と略す）を設置し、前記抑制リングの外周円周上に沿うように回転旋回することで前記抑制リングの前記外周円周上の凹部に前記抑制ローラーが前記押しバネで押され前記抑制リング凹部に前記抑制ローラーが挟み込むように構成された直進性を高めたキャスター。
【請求項２】
抑制ローラー及び抑制リングの凹部の設置位置は、支持軸周りの外周円周上で、前記抑制リングとしての前記凹部に前記抑制ローラーを挟み込むように構成すれば良く、つまり支持軸周りで前記凹部に前記抑制ローラーが円周上で接触し前記凹部に挟み込むように構成すれば良い、請求項１記載の直進性を高めたキャスター。
【発明の詳細な説明】
【０００１】
【発明の属する技術分野】
本発明は、運搬台車などの車輪付き手押し移動用具（以下「手押し車」と略す）に用いられ、旋回を抑制することにより直進性を高めるキャスターに関するものである。
【０００２】
【従来の技術】
台座の下で車輪用フレームが旋回自由に支持され、車輪の向きを自由に変えることができるキャスターを四輪とも用いる手押し車は広く用いられているが、自由に向きを変える反面、左右にふらつきやすく思わぬ方向に転じる欠点がある。
【発明が解決しようとする課題】
【０００３】
本発明は上記従来の課題を解決すため成されたもので、車輪の向きを自由に変えることができるキャスターを四輪とも用いる手押し車は、比較的平坦な面で使用することを前提で用いられ、自由に方向転換ができる反面、直進性に欠けるため、直線的に移動する時などは左右にふらつきやすく耐えず力加減が必要で、体力、神経を必要以上に使う。本発明は、このような問題点を解決しようとするものであり、また通常の方向転換にほとんど支障をきたすことなく、しかも外部に付属装置を必要としない簡単な構成によって直進性を高めたキャスターを提供することを目的として成されたものである。
【０００４】
【課題を解決するための手段】
上記目的を達成するために本発明は以下のように構成する。下側に支持軸を一体的に備えたリング状の台座と、支持軸周りに旋回可能に支持された車輪用フレームと後部で回転自由に支持された車輪から成るキャスターの前記リング状の台座外周部を逆Ｌ字下方向に伸びた抑制リングの外周部に凹設けその前記凹部に、一体的に成型された車輪用フレームの上部面に底面を一体に有し略角パイプ状に成形した外枠を適宜位置に固定し、かつ前記外枠の内側に金属性、硬質樹脂等の硬質材で略シリンダー状に成型した中枠を摺動可能に設置し、その前記中枠の間に押しバネ（ゴム材又はガス封入シリンダ等の弾性体）を挟み設置した反対側には抑制ローラーを設置し、前記抑制リングの円周上に沿うように回転旋回することで前記抑制リングの凹部に前記押しバネで押され前記抑制ローラーが挟み込まれ左右のふらつきを抑制する。
【０００５】
【本発明の実施の形態】
以下、この発明のキャスター実施の形態を図面に基づいて詳細に説明する。まず図１から図４は本発明によるキャスターの第１の実施例を示したものである。
【０００６】
図１下側に支持軸２を一体的に備えたリング状の台座１と、支持軸周りに旋回可能に支持された車輪用フレーム４の支持軸６で支持された車輪７から成るキャスター１０１の台座外周部１ａ（以下「抑制リング」と略す）に一体に成型された凹１ｂに、前記車輪用フレーム４の上部面４ｂに、底面を一体に有し略角パイプ状に成形した外枠８を適宜位置に固定し、前記外枠８に、金属、硬質樹脂等の硬質材で略シリンダー状に成型した中枠１０を摺動可能に設置しその前記中枠１０の凹１０ｂと８ｂの間に押しバネ９を挟み設置し、かつ前記中枠１０の反対側には円錐状の回転手段（以下「抑制ローラー」と略す）１１を前記中枠１０の凹１０ａ部に設置し、ピン１２を挿入し回転可能に設置した前記抑制ローラー１１は、前記押しバネ９で押されながら前記抑制リング１ａの円周上の前記凹１ｂ部に挟み込まれるように構成している。
【０００７】
以上のような構成したキャスター１０１の作動について、図３、図４を参照しながら説明する。抑制ローラー１１は、押しバネ９に押され抑制リング１ａの凹１ｂに沿うように挟み込まれているため、車輪用フレーム４は前記押しバネ９の押す力の分だけ左右のふらつきを抑制された状態で有る（図３に示す）。
【０００８】
このような状態である前記抑制ローラー１１と前記抑制リング１ａの関係は、図４に示すように進行方の左右どちらかに取って０２を振り向けるように押すことで（ここでは右方向に振り向けている。）前記抑制ローラー１１は、前記抑制リング１ａの凹１ｂのｒを乗り越え前記抑制リング１ａの面を回転旋回することで前記車輪用フレーム４は支持軸２を軸に回転自由になる。
【０００９】
つまり図５に示すように、前部左右には旋回自在キャスター０３を設置、後部左右にふらつきを抑制するキャスター１０１を設置した手押し車０１は、前記キャスター１０１が左右のふらつきを抑制しているため、直進性が高まりふらつきもなく直線的に移動できる状態である。
【００１０】
また、直線的に移動することにおいて、図６に示すように、キャスター１０１が左右のふらつきを抑制しているため旋回自在なキャスター０３の旋回だけで手押し車０１は進行方向左右どちらにも進路変更でき（ここでは右方向に進路変更している。）、かつ図７、図８に示すように進行方向左右どちらかに取って０２を振り向けるように押すことで（ここでは左方向に押し出している。）キャスター１０１の抑制ローラー１１は、抑制リング１ａの凹の抑制から外れ前記キャスター１０２同様に旋回自在になるため、どの方向にも旋回自在に移動できる。
【００１１】
次に、本発明によるキャスターの第２の実施例を図９、図１１に基づいて説明する。支持軸２２を一体的に備えた台座２１と、支持軸周りに旋回可能に支持された車輪用フレーム２４の支持軸３４で支持された車輪３３から成るキャスター２０１の前記台座２１の支持軸周りの的位置に、下方向に伸びたドーナツ状に凹を設けた厚みのある金属（以下「抑制リング２３」と略す）を溶接固定し前記台座２１と一体にする。前記抑制リング２３の凹２３ａに前記車輪用フレーム２４の上部面２４ｂに底面を一体に有し、略角パイプ状に成形した外枠２５を適位置に固定し、前記外枠２５の内側に、金属、硬質樹脂等の硬質材で略シリンダー状に成型した中枠２６を摺動可能に設置し、その前記中枠２６の凹２６ｂと押しバネ調整メネジプレート（以下「プレート」と略す）２８の２８ａの間に押しバネ２９を挟み設置しかつ前記中枠２６の凹２６ａには抑制ローラー３１の孔にピン３２を挿入して回転可能に設置した前記抑制ローラー３１は前記押しバネ３０で押されながら前記抑制リング２３の円周上の前記凹２３ａに挟み込まれるように構成している。
【００１２】
次に、図１１に示すように調整用オネジ２７とプレート２８を外枠２５の孔２５ｂに設置し、かつ中枠２６の凹２６ｂとプレート２８ａの間に押しバネに２９設置、この様な構成では前記押しバネ２９の押し出す力の加減を前記調整用オネジ２７を回すことで前記押しバネ２９のバネ圧を調整する。これにより抑制ローラー３１が抑制リング２３の凹１ａからｒを乗り越えるときの圧力が変化する。つまり前記オネジ２７をＳ側、Ｈ側に回すことで、進行方向左右どちらかに取って０２を振り向けるときの力が変化する（Ｓ側では弱く、Ｈ側では強く取って０２を振り向けるときの力が変化する）。以上のように構成したキャスター２０１の作動について説明する。抑制ローラー３１は、押しバネ２９に押され抑制リング２３の凹２３ａに沿うように挟み込まれているため車輪用フレーム２４は前記押しバネ２９の押す圧力の分だけ抑制された状態である（図１２及び図１３に示す）。
【００１３】
このような状態で有る前記抑制ローラー３１と前記抑制リング２３の関係は、図１４に示すように進行方向左右どちらかに取って０２を振り向けるように押すことで（ここでは右方向に取って０２を振り向けている。）前記抑制ローラー３１は、前記抑制リング２３の凹２３ａからｒ部を乗り越え前記抑制リング２３の面を回転旋回することで前記車輪用フレーム２４は支持軸を軸に回転自由になる。
【００１４】
以上のような構成したキャスター１０２の作動は
【０００９】及び
【００１０】で説明したものと同様なので省略する。
【００１５】
【発明の効果】
本発明は以上の説明通りの構成により、次のような効果を奏する。基本的なキャスターの構成である取付台、旋回する車輪用フレームそして車輪に加えて、取付台と一体になった抑制リングに、車輪用フレームの上部に抑制ローラーを設けるだけの簡単な構成により、耐えず力の加減が必要であった手押し車のふらつきを抑制し直線的に移動できる。
【００１６】
また、方向転換は手押し車を左右に振り向けるだけで方向転換でき、かつ手押し車の後部を進行方向の左右どちらかに押し出すように振り向けるだけで本発明であるキャスターの抑制ローラーは抑制リングの凹部から外れどの方向にも自由に方向転換ができる。また直線的に押すと抑制ローラーは抑制リングの凹部に沿うように挟み込まれているため、ふらつきもなく直線的に移動できる。
【００１７】
また、新たなる構成による構成では、上記載同様の効果が得られると共に抑制ローラーの押しバネの圧を調整することでより直線性を高めたり、弱めたりすることができる。
【００１８】
そして、本発明による直進性を高めたキャスターは、任意操作が可能でありながらも操作のためのレバー類を必要とせずコンパクト構成できるので、これを取り付ける手押し車の形態に限定がない。さらに取り付け位置についても、手押し車の仕意の位置取り付けが可能で、より広い用途に供することができる。
【図面の簡単な説明】
【図１】本発明のキャスター第１実施例の側面主要部断面図である。
【図２】同本発明のキャスター第１実施例の側面主要部Ａ−Ａ拡大断面図である。
【図３】本発明のキャスター第１実施例の抑制ローラーが抑制リングの凹部に挟み込まれた平面主要部断面図である。
【図４】本発明のキャスター第１実施例の抑制ローラーが抑制リングの凹部から外れた常態の平面主要部断面図である。
【図５】手押し車を透かして見た本発明のキャスター第１実施例の平面面図である。
【図６】同じく手押し車を透かして見た本発明のキャスター第１実施例の右旋回平面面図である。
【図７】同じく手押し車を透かして見た本発明のキャスター第１実施例の右旋回平面面図である。
【図８】同じく手押し車を透かして見た本発明のキャスター第１実施例の平行移動平面図である。
【図９】本発明のキャスター第２実施例の側面主要部断面図である。
【図１０】本発明のキャスター第２実施例の背面である。
【図１１】本発明のキャスター第２実施例の側面主要部Ｂ−Ｂ拡大断面図である。
【図１２】同じく本発明のキャスター第２実施例の拡大背面である。
【図１３】同じく本発明のキャスターの一部を透かして見た第２実施例の抑制ローラーが抑制リングの凹部に挟み込まれた平面主要部断面図である。
【符号の説明】
１、２１  台座
１ａ凹、１ｂ、２３ａ凹、２３ｂ  抑制リング
２、２ａ、２ｂ、２２  支持軸
４、２４  車輪用フレーム
５、５ａ、３５、３５ａ  ベャーリング
６、３４  支持軸
８、８ａ、８ｂ、２５、２５ａ、２５ｂ  外枠
１０、１０ａ、１０ｂ、２６、２６ａ、２６ｂ  中枠
１１、３１  抑制ローラー
９、２９  押しバネ
２７、２７ａ、２７ｂ  調整用オネジ
２８、２８ａ、２８ｂ  プレート
３０  部材
【図１】
2004224324.tif 000003
【図２】
2004224324.tif 000004
【図３】
2004224324.tif 000005
【図４】
2004224324.tif 000006
【図５】
2004224324.tif 000007
【図６】
2004224324.tif 000008
【図７】
2004224324.tif 000009
【図８】
2004224324.tif 000010
【図９】
2004224324.tif 000011
【図１０】
2004224324.tif 000012
【図１１】
2004224324.tif 000013
【図１２】
2004224324.tif 000014
【図１３】
2004224324.tif 000015